(57)【特許請求の範囲】
【請求項１】
端子装置の端子本体部を覆う本体ケースであって、
前記端子装置の前記端子本体部を覆うケース部と、
前記ケース部の左右方向の両側部から前方に突出し、間に取付対象物を挟み込むことにより前記ケース部を前記取付対象物に固定する一対のケース係止部と、
を備え、
前記一対のケース係止部のそれぞれが、
前記ケース部の左右方向の両側部から前方に突出する腕部と、
前記腕部の先端部から左右方向の内側に突出し、前記取付対象物に係止される爪部と、
前記腕部の先端部から左右方向の外側に突出する外側凸部と、
前記外側凸部の下面から前記腕部の下面よりも下方に突出する先端突起部と、
を備え、
前記先端突起部の左右方向の内側面の後端部が、前記腕部の左右方向の外側面よりも左右方向の外側に位置することを特徴とする本体ケース。
【請求項２】
請求項１に記載の本体ケースであって、
前記先端突起部の前記内側面全体が、前記腕部の前記外側面よりも左右方向の外側に位置することを特徴とする本体ケース。
【請求項３】
請求項１または２に記載の本体ケースであって、
前記先端突起部の前記内側面が、後側から前側に向かうに従って左右方向の内側へと向かう傾斜面を含み、前記傾斜面と前記腕部の前記外側面との成す角度が４５°以下であることを特徴とする本体ケース。
【請求項４】
請求項１ないし３のいずれかに記載の本体ケースであって、
前記先端突起部の前記内側面の後端と前記内側面の左右方向の内端との間の左右方向の距離が、前記腕部の左右方向の内側面と前記爪部の左右方向の内端との間の左右方向の距離以上であることを特徴とする本体ケース。
【請求項５】
請求項１ないし４のいずれかに記載の本体ケースであって、
前記一対のケース係止部のそれぞれが、前記腕部の前記外側面から左右方向の外側に離間しつつ前記外側凸部の後端部から後方に突出する部位を含む後方突出部をさらに備えることを特徴とする本体ケース。
【請求項６】
請求項５に記載の本体ケースであって、
前記ケース部の左右方向の側面において、前記後方突出部と前後方向に並び、前記腕部の前記外側面よりも左右方向の外側に突出する本体凸部が設けられることを特徴とする本体ケース。
【請求項７】
請求項６に記載の本体ケースであって、
前記ケース部の前記側面のうち、前記本体凸部の下側にて前記先端突起部と前後方向に並ぶ領域が、前記腕部の前記外側面よりも左右方向の内側、または、前記腕部の前記外側面と左右方向の同じ位置に位置することを特徴とする本体ケース。
【請求項８】
請求項７に記載の本体ケースであって、
前記ケース部の前記側面のうち、前記先端突起部と前後方向に並ぶ領域全体が、前記腕部の前記外側面よりも左右方向の内側、または、前記腕部の前記外側面と左右方向の同じ位置に位置することを特徴とする本体ケース。
【請求項９】
請求項５ないし８のいずれかに記載の本体ケースであって、
前記先端突起部が、前記外側凸部の下側から前記後方突出部の下側まで連続しており、
前記先端突起部の前記内側面が、
前記後方突出部の下面から下方に突出し、後側から前側に向かうに従って左右方向の内側へと向かう第１傾斜面と、
前記外側凸部の前記下面から下方に突出し、後側から前側に向かうに従って左右方向の内側へと向かう第２傾斜面と、
を含み、
前記第２傾斜面と前記腕部の前記外側面との成す角度が４５°以下であり、
前記第１傾斜面と前記腕部の前記外側面との成す角度が、前記第２傾斜面と前記腕部の前記外側面との成す角度よりも小さいことを特徴とする本体ケース。
【請求項１０】
端子装置であって、
請求項１ないし９のいずれかに記載の本体ケースと、
前記本体ケースに覆われる端子本体部と、
を備えることを特徴とする端子装置。
【請求項１１】
スイッチ装置であって、
請求項１０に記載の端子装置と、
前記端子装置の前記本体ケースの前記一対のケース係止部の間に挟まれる前記取付対象物である操作部と、
前記端子装置の前記一対のケース係止部の間から前記一対のケース係止部よりも前方に突出し、前記操作部の内部に収容される被収容部と、
を備えることを特徴とするスイッチ装置。
【請求項１２】
スイッチ装置であって、
請求項１０に記載の端子装置である第１端子装置と、
前記第１端子装置の前記本体ケースと同構造の本体ケースを備える第２端子装置と、
前記第１端子装置の前記本体ケースの前記一対のケース係止部の間に挟まれる前記取付対象物である操作部と、
を備え、
前記操作部の後端部における左右方向の両側面のそれぞれに、
前記第１端子装置の前記本体ケースの前記腕部が収容される第１溝部と、
前記第１溝部と上下方向に隣接して配置され、前記第２端子装置の前記本体ケースの腕部が収容される第２溝部と、
が設けられ、
前記第１端子装置の前記先端突起部と前記第２端子装置の先端突起部とが上下方向にて接することを特徴とするスイッチ装置。
【請求項１３】
請求項１２に記載のスイッチ装置であって、
前記操作部が、前記後端部における左右方向の前記両側面のそれぞれにおいて、前記第１溝部と前記第２溝部との間に位置する壁部を備え、
前記壁部の左右方向の端面の左右方向における位置が、前記第１溝部に収容された前記第１端子装置の前記腕部の前記外側面、および、前記第２溝部に収容された前記第２端子装置の前記腕部の外側面の左右方向における位置と同じであることを特徴とするスイッチ装置。
【請求項１４】
制御装置であって、
制御装置本体部と、
前記制御装置本体部の左右方向の両側部から前方に突出し、間に取付対象物を挟み込むことにより前記制御装置本体部を前記取付対象物に固定する一対の係止部と、
を備え、
前記一対の係止部のそれぞれが、
前記制御装置本体部の左右方向の両側部から前方に突出する腕部と、
前記腕部の先端部から左右方向の内側に突出し、前記取付対象物に係止される爪部と、
前記腕部の先端部から左右方向の外側に突出する外側凸部と、
前記外側凸部の下面から前記腕部の下面よりも下方に突出する先端突起部と、
を備え、
前記先端突起部の左右方向の内側面の後端部が、前記腕部の左右方向の外側面よりも左右方向の外側に位置することを特徴とする制御装置。
【発明の詳細な説明】
【技術分野】
【０００１】
本発明は、端子装置のハウジング本体を覆う本体ケース、当該本体ケースを備える端子装置、当該端子装置を備えるスイッチ装置、および、制御装置に関する。
【背景技術】
【０００２】
従来、押ボタンスイッチ、セレクトスイッチ、表示灯等の装置において、操作部に取り付けられる端子装置が使用されている。例えば、特許文献１では、押ボタン操作部の背後に連結される端子装置であるコンタクト部が開示されている。当該コンタクト部では、ケース本体の左右両側から前方に突出する一対の弾性体の係合片が設けられる。コンタクト部が押ボタン操作部に連結される際には、当該一対の係合片が、押ボタン操作部の左右両側の側面に形成された一対の溝部に挿入され、各係合片の先端部にて内向きに設けられた爪部が押ボタン操作部の側面に係止される。
【先行技術文献】
【特許文献】
【０００３】
【特許文献１】特開平９−１２９２７７号公報
【発明の概要】
【発明が解決しようとする課題】
【０００４】
ところで、特許文献１のコンタクト部を押ボタン操作部から取り外す際には、係合片の先端部を左右方向の外側に移動させて爪部による係止を解除する必要がある。押ボタン操作部が扉や壁面に取り付けられている場合、コンタクト部の前側から爪部と押ボタン操作部との間にマイナスドライバー等を差し込むことができないため、例えば、コンタクト部の後側から取り外し用の専用治具を利用して爪部による係止を解除することが行われている。
【０００５】
あるいは、係合片の先端部に、左右方向の外側に突出するとともに後端部が係合片の外側面から離間する返し部を設け、当該返し部にマイナスドライバー等の汎用工具を後側から差し込み、係合片の付け根に設けられた突起部を梃子の支点としてマイナスドライバー等の先端を持ち上げることにより、爪部による係止を解除することも行われている。しかしながら、コンタクト部から前方に突出するＬＥＤ照明部等が押ボタン操作部の内部に挿入されている場合、左右方向の一方側の爪部のみを外した状態では、ＬＥＤ照明部等が押ボタン操作部の内面に引っかかり、コンタクト部を押ボタン操作部から取り外すことができない場合がある。この場合、左右両側の爪部を外す必要があるが、一方側の爪部が外れた状態で他方側の爪部を外そうとすると、他方側の爪部の返し部に挿入されたマイナスドライバー等により係合片の付け根の突起部が押され、外れていた一方側の爪部が押ボタン操作部に再度係止し、コンタクト部を容易に取り外すことができない場合がある。
【０００６】
本発明は、上記課題に鑑みなされたものであり、取付対象物から端子装置を取り外す際に、汎用工具により爪部による係止を解除すること目的としている。
【課題を解決するための手段】
【０００７】
請求項１に記載の発明は、端子装置の端子本体部を覆う本体ケースであって、前記端子装置の前記端子本体部を覆うケース部と、前記ケース部の左右方向の両側部から前方に突出し、間に取付対象物を挟み込むことにより前記ケース部を前記取付対象物に固定する一対のケース係止部とを備え、前記一対のケース係止部のそれぞれが、前記ケース部の左右方向の両側部から前方に突出する腕部と、前記腕部の先端部から左右方向の内側に突出し、前記取付対象物に係止される爪部と、前記腕部の先端部から左右方向の外側に突出する外側凸部と、前記外側凸部の下面から前記腕部の下面よりも下方に突出する先端突起部とを備え、前記先端突起部の左右方向の内側面の後端部が、前記腕部の左右方向の外側面よりも左右方向の外側に位置する。
【０００８】
請求項２に記載の発明は、請求項１に記載の本体ケースであって、前記先端突起部の前記内側面全体が、前記腕部の前記外側面よりも左右方向の外側に位置する。
【０００９】
請求項３に記載の発明は、請求項１または２に記載の本体ケースであって、前記先端突起部の前記内側面が、後側から前側に向かうに従って左右方向の内側へと向かう傾斜面を含み、前記傾斜面と前記腕部の前記外側面との成す角度が４５°以下である。
【００１０】
請求項４に記載の発明は、請求項１ないし３のいずれかに記載の本体ケースであって、前記先端突起部の前記内側面の後端と前記内側面の左右方向の内端との間の左右方向の距離が、前記腕部の左右方向の内側面と前記爪部の左右方向の内端との間の左右方向の距離以上である。
【００１１】
請求項５に記載の発明は、請求項１ないし４のいずれかに記載の本体ケースであって、前記一対のケース係止部のそれぞれが、前記腕部の前記外側面から左右方向の外側に離間しつつ前記外側凸部の後端部から後方に突出する部位を含む後方突出部をさらに備える。
【００１２】
請求項６に記載の発明は、請求項５に記載の本体ケースであって、前記ケース部の左右方向の側面において、前記後方突出部と前後方向に並び、前記腕部の前記外側面よりも左右方向の外側に突出する本体凸部が設けられる。
【００１３】
請求項７に記載の発明は、請求項６に記載の本体ケースであって、前記ケース部の前記側面のうち、前記本体凸部の下側にて前記先端突起部と前後方向に並ぶ領域が、前記腕部の前記外側面よりも左右方向の内側、または、前記腕部の前記外側面と左右方向の同じ位置に位置する。
【００１４】
請求項８に記載の発明は、請求項７に記載の本体ケースであって、前記ケース部の前記側面のうち、前記先端突起部と前後方向に並ぶ領域全体が、前記腕部の前記外側面よりも左右方向の内側、または、前記腕部の前記外側面と左右方向の同じ位置に位置する。
【００１５】
請求項９に記載の発明は、請求項５ないし８のいずれかに記載の本体ケースであって、前記先端突起部が、前記外側凸部の下側から前記後方突出部の下側まで連続しており、前記先端突起部の前記内側面が、前記後方突出部の下面から下方に突出し、後側から前側に向かうに従って左右方向の内側へと向かう第１傾斜面と、前記外側凸部の前記下面から下方に突出し、後側から前側に向かうに従って左右方向の内側へと向かう第２傾斜面とを含み、前記第２傾斜面と前記腕部の前記外側面との成す角度が４５°以下であり、前記第１傾斜面と前記腕部の前記外側面との成す角度が、前記第２傾斜面と前記腕部の前記外側面との成す角度よりも小さい。
【００１６】
請求項１０に記載の発明は、端子装置であって、請求項１ないし９のいずれかに記載の本体ケースと、前記本体ケースに覆われる端子本体部とを備える。
【００１７】
請求項１１に記載の発明は、スイッチ装置であって、請求項１０に記載の端子装置と、前記端子装置の前記本体ケースの前記一対のケース係止部の間に挟まれる前記取付対象物である操作部と、前記端子装置の前記一対のケース係止部の間から前記一対のケース係止部よりも前方に突出し、前記操作部の内部に収容される被収容部とを備える。
【００１８】
請求項１２に記載の発明は、スイッチ装置であって、請求項１０に記載の端子装置である第１端子装置と、前記第１端子装置の前記本体ケースと同構造の本体ケースを備える第２端子装置と、前記第１端子装置の前記本体ケースの前記一対のケース係止部の間に挟まれる前記取付対象物である操作部とを備え、前記操作部の後端部における左右方向の両側面のそれぞれに、前記第１端子装置の前記本体ケースの前記腕部が収容される第１溝部と、前記第１溝部と上下方向に隣接して配置され、前記第２端子装置の前記本体ケースの腕部が収容される第２溝部とが設けられ、前記第１端子装置の前記先端突起部と前記第２端子装置の先端突起部とが上下方向にて接する。
【００１９】
請求項１３に記載の発明は、請求項１２に記載のスイッチ装置であって、前記操作部が、前記後端部における左右方向の前記両側面のそれぞれにおいて、前記第１溝部と前記第２溝部との間に位置する壁部を備え、前記壁部の左右方向の端面の左右方向における位置が、前記第１溝部に収容された前記第１端子装置の前記腕部の前記外側面、および、前記第２溝部に収容された前記第２端子装置の前記腕部の外側面の左右方向における位置と同じである。
【００２０】
請求項１４に記載の発明は、制御装置であって、制御装置本体部と、前記制御装置本体部の左右方向の両側部から前方に突出し、間に取付対象物を挟み込むことにより前記制御装置本体部を前記取付対象物に固定する一対の係止部とを備え、前記一対の係止部のそれぞれが、前記制御装置本体部の左右方向の両側部から前方に突出する腕部と、前記腕部の先端部から左右方向の内側に突出し、前記取付対象物に係止される爪部と、前記腕部の先端部から左右方向の外側に突出する外側凸部と、前記外側凸部の下面から前記腕部の下面よりも下方に突出する先端突起部とを備え、前記先端突起部の左右方向の内側面の後端部が、前記腕部の左右方向の外側面よりも左右方向の外側に位置する。
【発明の効果】
【００２１】
本発明では、汎用工具により爪部による係止を解除することができる。
【図面の簡単な説明】
【００２２】
【図１】一の実施の形態に係るスイッチ装置の斜視図である。
【図２】スイッチ装置の斜視図である。
【図３】第１端子装置の平面図である。
【図４】第１端子装置の斜視図である。
【図５】第１端子装置の底面図である。
【図６】第１端子装置の前面図である。
【図７】第１端子装置の側面図である。
【図８】ケース係止部の先端部を拡大して示す底面図である。
【図９】ケース係止部の先端部を拡大して示す斜視図である。
【図１０】取り外し途上の第１端子装置を示す図である。
【図１１】取り外し途上の第１端子装置を示す図である。
【図１２】他の好ましいスイッチ装置を示す図である。
【発明を実施するための形態】
【００２３】
図１および図２は、本発明の一の実施の形態に係るスイッチ装置４の斜視図である。図１は、スイッチ装置４を斜め前方から見た図であり、図２は、スイッチ装置４を斜め後方から見た図である。スイッチ装置４は、例えば、押ボタンスイッチである。スイッチ装置４は、押ボタンスイッチには限定されず、例えば、セレクトスイッチまたは表示灯であってもよい。
【００２４】
スイッチ装置４は、操作部４１と、２つの端子装置１，１ａとを備える。操作部４１は、スイッチ装置４のアクチュエータである。端子装置１，１ａは、操作部４１の後側に取り付けられる。操作部４１は、端子装置１，１ａが取り付けられる取付対象物である。以下の説明では、端子装置１，１ａをそれぞれ「第１端子装置１」および「第２端子装置１ａ」と呼ぶ。
【００２５】
第１端子装置１および第２端子装置１ａは、例えば、操作部４１に対する電流の導通と非導通とを切り替える。第１端子装置１および第２端子装置１ａは、接点ブロックまたはコンタクトブロックとも呼ばれる。第１端子装置１は、例えば、ノーマルオープン型（すなわち、ＮＯ型）の端子装置であり、第２端子装置１ａは、例えばノーマルクローズ型（すなわち、ＮＣ型）の端子装置である。
【００２６】
第１端子装置１は、本体ケース２と、端子本体部３とを備える。本体ケース２は、端子本体部３に取り付けられて、端子本体部３を覆う。第２端子装置１ａは、本体ケース２ａと、端子本体部３ａとを備える。本体ケース２ａは、端子本体部３ａに取り付けられて、端子本体部３ａを覆う。第１端子装置１の本体ケース２と、第２端子装置１ａの本体ケース２ａとは、同じ構造（すなわち、同じ形状）を有する。また、第１端子装置１の端子本体部３と、第２端子装置１ａの端子本体部３ａとは、外形は略同じであるが、内部構造は互いに異なる。以下、第１端子装置１の本体ケース２について説明するが、第２端子装置１ａの本体ケース２ａについても同様である。
【００２７】
図３は、第１端子装置１の平面図である。図４は、第１端子装置１の斜視図である。以下の説明では、図３中の上側および下側をそれぞれ「前側」および「後側」と呼び、図３中の右側および左側をそれぞれ、単に「右側」および「左側」と呼ぶ。また、図３中の紙面に垂直な方向の手前側を「上側」と呼び、奥側を「下側」と呼ぶ。なお、以下の説明における前後方向、左右方向および上下方向は、実際に第１端子装置１および第２端子装置１ａが取り付けられる際の位置関係や方向を示すものではない。
【００２８】
本体ケース２は、ケース部２１と、一対のケース係止部２２とを備える。ケース部２１は、後側が開口した略直方体状の部材である。ケース部２１の当該開口から端子本体部３が挿入されることにより、端子本体部３に本体ケース２が取り付けられる。これにより、端子装置１を容易に製造することができる。端子本体部３は、ケース部２１により覆われる。具体的には、ケース部２１は、端子本体部３の前面、左右両側の側面、上面および下面を覆う。換言すれば、ケース部２１は、端子本体部３の後面を除く面を覆う。
【００２９】
一対のケース係止部２２は、ケース部２１の左右方向の両側部から前方に突出する。一対のケース係止部２２は、同じ構造を有し、本体ケース２の左右方向の中央を通る中心線に対して線対称である。一対のケース係止部２２の間に操作部４１（図１および図２参照）が挟み込まれることにより、ケース部２１が操作部４１に固定される。
【００３０】
図５は、第１端子装置１の底面図である。図６は、第１端子装置１の前面図である。図７は、第１端子装置１の側面図である。図８は、図５中の右側のケース係止部２２の先端部を拡大して示す底面図である。図９は、図５中の左側のケース係止部２２の先端部を拡大して示す斜視図である図３ないし図９に示すように、一対のケース係止部２２のそれぞれは、腕部２３と、爪部２４と、外側凸部２５と、先端突起部２６と、後方突出部２７とを備える。図８では、外側凸部２５と後方突出部２７との境界を二点鎖線にて示す。図９では、外側凸部２５および後方突出部２７と先端突起部２６との境界を二点鎖線にて示す。なお、図８および図９は、ケース部２１を前述の「下側」より見た図である。
【００３１】
腕部２３は、ケース部２１の左右方向の両側部から前方に突出する。腕部２３は、ケース部２１の前面のうち下面近傍の部位に連続する。腕部２３は、前後方向に略平行に延びる。腕部２３の下面２３１は、前後方向および左右方向に対して略平行である。腕部２３の左右方向の外側の側面２３２（すなわち、外側面２３２）は、前後方向に略平行であり、腕部２３の下面２３１に対して略垂直である。腕部２３は、左右方向に弾性変形可能である。
【００３２】
爪部２４は、腕部２３の先端部（すなわち、前端部）から左右方向の内側に突出する。左右方向の内側とは、本体ケース２の左右方向の中央を通る中心線に近い側である。一対のケース係止部２２の爪部２４は、左右方向に対向する。本体ケース２が取付対象物である操作部４１に取り付けられる際には、爪部２４は、操作部４１の左右の側面に設けられた段差部に係止される。爪部２４は、平面視において略台形状の部位である。爪部２４の上下方向の厚さは、腕部２３の先端部の上下方向の厚さと略同じである。爪部２４の下面は、腕部２３の下面２３１と上下方向の略同じ位置に位置する。爪部２４の上面は、腕部２３の上面と上下方向の略同じ位置に位置する。
【００３３】
爪部２４の左右方向の内側面のうち前側の部位は、後側から前側に向かうに従って左右方向の外側に向かう傾斜面である。換言すれば、一対のケース係止部２２の前端部では、２つの爪部２４間の左右方向の距離が、前端に近づくに従って漸次増大する。これにより、本体ケース２を操作部４１に取り付ける際に、一対のケース係止部２２の間に操作部４１を容易に挿入することができる。
【００３４】
外側凸部２５は、腕部２３の先端部から左右方向の外側に突出する。換言すれば、外側凸部２５は、腕部２３の先端部において、爪部２４とは左右方向の反対側に突出する。外側凸部２５は、略直方体状の部位である。外側凸部２５の上下方向の厚さは、腕部２３の先端部の上下方向の厚さと略同じである。外側凸部２５の下面は、腕部２３の下面２３１と上下方向の略同じ位置に位置する。外側凸部２５の上面は、腕部２３の上面と上下方向の略同じ位置に位置する。
【００３５】
後方突出部２７は、外側凸部２５の後端部から後方に突出する。後方突出部２７は、外側凸部２５の後端面２５１のうち左右方向の外側の端部から後方に突出する第１部位２７１と、後端面２５１の上側に位置する端部から後方に突出する第２部位２７２とを含む。第１部位２７１は、左右方向に略垂直な板状の部位である。第１部位２７１は、腕部２３の外側面２３２から左右方向の外側に離間する。第１部位２７１の上下方向の厚さは、外側凸部２５の上下方向の厚さと略同じである。第１部位２７１の下面は、外側凸部２５の下面と上下方向の略同じ位置に位置する。第１部位２７１の上面は、外側凸部２５の上面と上下方向の略同じ位置に位置する。第１部位２７１は、腕部２３と上下方向の略同じ位置に位置する。第１部位２７１の内側面は、間に空隙を挟んで腕部２３の外側面２３２と左右方向に対向する。
【００３６】
第２部位２７２は、上下方向に略垂直な板状の部位である。第２部位２７２は、第１部位２７１の内側面と腕部２３の外側面２３２との間に配置され、第１部位２７１の上側の端部および腕部２３の上側の端部に連続する。第２部位２７２の上下方向の厚さは、第１部位２７１、外側凸部２５および腕部２３の上下方向の厚さよりも薄い。第２部位２７２の上面は、第１部位２７１、外側凸部２５および腕部２３の上面と上下方向の略同じ位置に位置する。第２部位２７２の下面は、第１部位２７１の下面、外側凸部２５の下面および腕部２３の下面２３１よりも上側に位置する。
【００３７】
先端突起部２６は、外側凸部２５の下面および後方突出部２７の第１部位２７１の下面から下方に突出する。換言すれば、先端突起部２６は、外側凸部２５の下側から後方突出部２７の第１部位２７１の下側まで連続する。先端突起部２６は、腕部２３の下面２３１よりも下方に突出する。したがって、先端突起部２６の下端は、腕部２３の下面２３１よりも下側に位置する。先端突起部２６の上下方向の厚さは、外側凸部２５の上下方向の厚さよりも小さい。先端突起部２６は、平面視において、前後方向に長い略七角形状である。先端突起部２６の後部は、後方突出部２７の第１部位２７１の下側に位置し、外側凸部２５よりも後側に位置する。
【００３８】
先端突起部２６の左右方向の外側の側面（すなわち、外側面）は、前後方向に略平行であり、腕部２３の下面２３１に対して略垂直である。先端突起部２６の外側面の前端部は、前端から後側に向かうに従って左右方向の外側に向かう傾斜面である。
【００３９】
先端突起部２６の左右方向の内側の側面２６０（すなわち、内側面２６０）も、腕部２３の下面２３１に対して略垂直である。本実施の形態では、先端突起部２６の内側面２６０は、左右方向の内側に向かって突出する凸面である。先端突起部２６の内側面２６０の後端と内側面２６０の左右方向の内端との間の左右方向の距離Ｄ１は、腕部２３の左右方向の内側面２３３（具体的には、内側面２３３の爪部２４近傍の部位）と爪部２４の左右方向の内端との間の左右方向の距離Ｄ２以上である。距離Ｄ２は、腕部２３の内側面２３３からの爪部２４の左右方向における突出長でもある。内側面２６０全体は、腕部２３の外側面２３２よりも左右方向の外側に位置する。当然、内側面２６０の後端部も、腕部２３の外側面２３２よりも左右方向の外側に位置する。
【００４０】
先端突起部２６の内側面２６０は、第１傾斜面２６１と、第２傾斜面２６２と、第３傾斜面２６３とを含む。第１傾斜面２６１、第２傾斜面２６２および第３傾斜面２６３は、後側から前側に向かってこの順番で前後方向に連続する。第１傾斜面２６１は、後側から前側に向かうに従って左右方向の内側へと向かう傾斜面である。第２傾斜面２６２も、後側から前側に向かうに従って左右方向の内側へと向かう傾斜面である。第３傾斜面２６３は、後側から前側に向かうに従って左右方向の外側へと向かう傾斜面である。第１傾斜面２６１は、後方突出部２７の第１部位２７１の下面から下方に突出する。第２傾斜面２６２は、外側凸部２５の下面から下方に突出する。
【００４１】
第１傾斜面２６１と腕部２３の外側面２３２との成す角度（具体的には、平面視における当該角度）は、４５°以下である。第２傾斜面２６２と腕部２３の外側面２３２との成す角度（具体的には、平面視における当該角度）も、４５°以下である。第１傾斜面２６１と腕部２３の外側面２３２との成す角度は、第２傾斜面２６２と腕部２３の外側面２３２との成す角度よりも小さい。
【００４２】
本体ケース２のケース部２１では、左右方向の両側面に一対の本体凸部２１１が設けられる。本体凸部２１１は、ケース部２１の側面において、腕部２３の外側面２３２よりも左右方向の外側に突出する。本体凸部２１１は、ケース部２１の側面のうち前端部に設けられる。すなわち、本体凸部２１１は、腕部２３の付け根部近傍に位置する。本体凸部２１１は、後方突出部２７および外側凸部２５と前後方向に並ぶ。換言すれば、本体凸部２１１は、後方突出部２７および外側凸部２５と上下方向の略同じ位置に位置する。先端突起部２６は、本体凸部２１１よりも下側に位置する。
【００４３】
図４および図５に示すように、ケース部２１の側面のうち、本体凸部２１１の下側の領域（以下、「凸部下側領域２１２」という。）は、腕部２３の外側面２３２よりも左右方向の内側に位置する。凸部下側領域２１２は、腕部２３の外側面２３２と左右方向の略同じ位置に位置してもよい。図７に示すように、凸部下側領域２１２は、先端突起部２６と前後方向に並ぶ。
【００４４】
図４および図５に示すように、ケース部２１の側面のうち、先端突起部２６と前後方向に並ぶ領域全体は、腕部２３の外側面２３２よりも左右方向の内側に位置する。具体的には、凸部下側領域２１２の前側にて凸部下側領域２１２と前後方向に並ぶ前側領域２１３、および、凸部下側領域２１２の後側にて凸部下側領域２１２と前後方向に並ぶ後側領域２１４が、腕部２３の外側面２３２よりも左右方向の内側に位置する。図７に示すように、前側領域２１３および後側領域２１４は、先端突起部２６と前後方向に並ぶ。ケース部２１の側面のうち、先端突起部２６と前後方向に並ぶ上述の領域全体は、腕部２３の外側面２３２と左右方向の略同じ位置に位置してもよい。
【００４５】
図１および図２に示すように、操作部４１の後端部における左右方向の両側面４１０（すなわち、図１および図２中の上下両側の側面）のそれぞれには、第１溝部４１１と、第２溝部４１２とが設けられる。図１および図２では、左右方向の一方の側面４１０が図中の上側を向くようにスイッチ装置４を描いている。第１溝部４１１および第２溝部４１２は、前後方向に延びる。第２溝部４１２は、第１溝部４１１と上下方向に隣接して配置される。
【００４６】
第１端子装置１は、本体ケース２の下面を図２中の手前側に向けて操作部４１に取り付けられる。第１端子装置１の本体ケース２の腕部２３は、第１溝部４１１に収容される。第２端子装置１ａは、本体ケース２ａの上面を図２中の手前側に向けて操作部４１に取り付けられる。第２端子装置１ａの本体ケース２ａの腕部２３は、第２溝部４１２に収容される。換言すれば、第１端子装置１と第２端子装置１ａとは、本体ケース２の下面と本体ケース２ａの下面とを上下方向にて対向させた状態で操作部４１に取り付けられ、第１端子装置１の腕部２３と第２端子装置１ａの腕部２３とは、上下方向に近接した状態で配置される。図１および図２に示す例では、第１端子装置１の先端突起部２６と第２端子装置１ａの先端突起部２６とは、上下方向にて接する。
【００４７】
操作部４１は、上記後端部における左右方向の両側面４１０のそれぞれにおいて、第１溝部４１１と第２溝部４１２との間に位置する壁部４１３を備える。壁部４１３は、前後方向に平行かつ上下方向に略垂直な板状の部位である。壁部４１３の前後方向の長さは、第１溝部４１１および第２溝部４１２の前後方向の長さよりも短い。壁部４１３は、第１端子装置１の腕部２３と第２端子装置１ａの腕部２３との間に位置する。壁部４１３の左右方向の端面の左右方向における位置は、第１溝部４１１に収容された第１端子装置１の腕部２３の外側面２３２、および、第２溝部４１２に収容された第２端子装置１ａの腕部２３の外側面２３２の左右方向における位置と略同じである。
【００４８】
第１端子装置１および第２端子装置１ａを操作部４１から取り外す際には、先端の刃幅が比較的細いマイナスドライバー等の汎用工具が、第１端子装置１の先端突起部２６および第２端子装置１ａの先端突起部２６の左右方向の内側に、操作部４１の壁部４１３の端面に沿って後側から挿入される。
【００４９】
図１０および図１１は、取り外し途上の第１端子装置１を下面側から見た図である。図１０および図１１では、操作部４１の断面、および、第１端子装置１の取り外しに利用されるマイナスドライバー９も併せて示す。図１０および図１１では、操作部４１の断面の一部の平行斜線を省略しており、また、断面の奥側の部位も併せて示す。図１０および図１１では、図中の右側のケース係止部２２の爪部２４による係止（すなわち、爪部２４の操作部４１に対する係止）が解除され、左側のケース係止部２２の先端部にマイナスドライバー９が挿入された状態を示す。マイナスドライバー９の先端の刃幅は比較的細く、例えば、２〜３ｍｍである。
【００５０】
マイナスドライバー９は、図１０に示すように、操作部４１の壁部４１３の端面に沿って挿入され、先端部が先端突起部２６の左右方向の内側に挿入される。マイナスドライバー９の先端は、先端突起部２６の内側面２６０のうち第２傾斜面２６２に当接し、第２傾斜面２６２を前方に向かって押す。マイナスドライバー９の先端は、第２傾斜面２６２に沿って前方へと移動する。マイナスドライバー９の先端部の刃厚は、先端から離れるに従って漸次増大する。このため、マイナスドライバー９が前方へと移動するに従って、図１１に示すように、先端突起部２６が左右方向の外側へと移動する。
【００５１】
マイナスドライバー９は、上述のように操作部４１の壁部４１３には接触するが、ケース部２１の左右方向の側面には接触しない。あるいは、マイナスドライバー９は、ケース部２１の左右方向の側面に接触したとしても、ケース部２１の側面を左右方向の内側に向かって押すことはない。マイナスドライバー９は、ケース部２１の側面のうち、前側領域２１３、凸部下側領域２１２および後側領域２１４の左右方向の外側に位置し、前側領域２１３、凸部下側領域２１２および後側領域２１４に沿って前方へと移動する。マイナスドライバー９は、ケース部２１の本体凸部２１１に左右方向の外側から接触することはない。
【００５２】
ケース係止部２２では、先端突起部２６の外側への移動に伴って、腕部２３が弾性変形して左右方向の外側へと湾曲し、爪部２４を含むケース係止部２２の先端部が先端突起部２６と共に左右方向の外側へと移動する。これにより、爪部２４による係止（すなわち、爪部２４の操作部４１に対する係止）が解除され、第１端子装置１が操作部４１から取り外すことが可能な状態となる。第１端子装置１は、図１１に示す状態から後方へと移動されることにより、操作部４１から取り外される。第２端子装置１ａの操作部４１からの取り外しについても同様である。第２端子装置１ａの爪部２４による係止の解除は、例えば、第１端子装置１の爪部２４による係止の解除と同時に行われる。
【００５３】
第１端子装置１を操作部４１から取り外す際に、一方の爪部２４の係止を解除するだけで第１端子装置１が操作部４１から取り外すことが可能な状態となる場合、上述のマイナスドライバー９に代えて、マイナスドライバー９よりも太いマイナスドライバー等の汎用工具が利用されてもよい。この場合、先端の刃幅が比較的太いマイナスドライバー（例えば、刃幅が４〜５ｍｍのマイナスドライバー）が、第１端子装置１の後方突出部２７の第１部位２７１および先端突起部２６、並びに、第２端子装置１ａの先端突起部２６および後方突出部２７の第１部位２７１の左右方向の内側に後側から挿入される。
【００５４】
当該マイナスドライバーの先端部は、第１端子装置１の後方突出部２７の第１部位２７１および先端突起部２６、並びに、第２端子装置１ａの先端突起部２６および後方突出部２７の第１部位２７１に、左右方向の内側から接触する。また、当該マイナスドライバーの先端部よりも少し後側の部位は、ケース部２１の本体凸部２１１に左右方向の外側から接触する。そして、本体凸部２１１を梃子の支点としてマイナスドライバーの先端部が左右方向の外側に移動されることにより、第１端子装置１の爪部２４および第２端子装置１ａの爪部２４による係止が解除され、第１端子装置１および第２端子装置１ａが、操作部４１から取り外すことが可能な状態となる。
【００５５】
以上に説明したように、本体ケース２は、ケース部２１と、一対のケース係止部２２とを備える。ケース部２１は、第１端子装置１の端子本体部３を覆う。一対のケース係止部２２は、ケース部２１の左右方向の両側部から前方に突出する。一対のケース係止部２２は、間に取付対象物（上述の例では、スイッチ装置４の操作部４１）を挟み込むことにより、ケース部２１を当該取付対象物に固定する。
【００５６】
一対のケース係止部２２のそれぞれは、腕部２３と、爪部２４と、外側凸部２５と、先端突起部２６とを備える。腕部２３は、ケース部２１の左右方向の両側部から前方に突出する。爪部２４は、腕部２３の先端部から左右方向の内側に突出し、上記取付対象物に係止される。外側凸部２５は、腕部２３の先端部から左右方向の外側に突出する。先端突起部２６は、外側凸部２５の下面から腕部２３の下面２３１よりも下方に突出する。先端突起部２６の左右方向の内側面２６０の後端部は、腕部２３の左右方向の外側面２３２よりも左右方向の外側に位置する。
【００５７】
本体ケース２では、先端突起部２６の後側から挿入されたマイナスドライバー９等の汎用工具の先端を、先端突起部２６の内側面２６０に当接させ、先端突起部２６を左右方向の外側へと移動させることにより、当該汎用工具により本体ケース２を左右方向の内側に向かって押圧することなく、爪部２４による係止を解除することができる。これにより、一対のケース係止部２２の取付対象物に対するそれぞれの係止を容易に解除することができる。その結果、本体ケース２を汎用工具を用いて取付対象物から容易に取り外すことができる。
【００５８】
上述のように、先端突起部２６の内側面２６０全体は、腕部２３の外側面２３２よりも左右方向の外側に位置する。これにより、先端突起部２６の後側から挿入されたマイナスドライバー９等の汎用工具を、容易に前方に移動することができる。換言すれば、マイナスドライバー９等の汎用工具を、先端突起部２６の後側から前側へと深く挿入することができる。これにより、先端突起部２６の左右方向の外側への移動量を増大させることができる。その結果、爪部２４による係止を容易に解除することができる。
【００５９】
また、先端突起部２６の内側面２６０は、後側から前側に向かうに従って左右方向の内側へと向かう第２傾斜面２６２を含み、第２傾斜面２６２と腕部２３の外側面２３２との成す角度が４５°以下である。このため、マイナスドライバー９等の汎用工具を第２傾斜面２６２に当接させて前方に押すことにより、爪部２４を左右方向の外側に容易に移動させることができる。その結果、爪部２４による係止を容易に解除することができる。
【００６０】
上述のように、先端突起部２６の内側面２６０の後端と内側面２６０の左右方向の内端との間の左右方向の距離Ｄ１は、腕部２３の左右方向の内側面２３３と爪部２４の左右方向の内端との間の左右方向の距離Ｄ２以上である。これにより、先端突起部２６の内端が、左右方向に関して内側面２６０の後端の初期位置と同じ位置に達するまで、先端突起部２６を左右方向の外側へと移動することにより、爪部２４による係止を確実に解除することができる。
【００６１】
本体ケース２では、一対のケース係止部２２のそれぞれが後方突出部２７をさらに備える。後方突出部２７は、腕部２３の外側面２３２から左右方向の外側に離間しつつ外側凸部２５の後端部から後方に突出する第１部位２７１を含む。このため、マイナスドライバー９等の汎用工具の先端を後方突出部２７と腕部２３との間に挿入し、後方突出部２７を左右方向の外側へと押して移動させることができる。これにより、爪部２４による係止を解除することができる。当該汎用工具は、後方突出部２７のみならず先端突起部２６にも当接し、後方突出部２７と共に先端突起部２６も左右方向の外側へと押してもよい。この場合、ケース係止部２２の先端部において汎用工具が当接可能な部位の上下方向の長さが比較的大きいため、爪部２４による係止を解除するための汎用工具として、マイナスドライバー９よりも刃幅が大きいマイナスドライバー等を利用することもできる。
【００６２】
また、本体ケース２では、ケース部２１の左右方向の側面において、後方突出部２７と前後方向に並び、腕部２３の外側面２３２よりも左右方向の外側に突出する本体凸部２１１が設けられる。このため、汎用工具を後方突出部２７に当接させた状態で、本体凸部２１１を梃子の支点として利用し、汎用工具の後端部を左右方向の内側へと移動することにより、後方突出部２７を左右方向の外側に容易に移動することができる。その結果、爪部２４による係止を容易に解除することができる。
【００６３】
さらに、本体ケース２では、ケース部２１の側面のうち、本体凸部２１１の下側にて先端突起部２６と前後方向に並ぶ領域である凸部下側領域２１２が、腕部２３の外側面２３２よりも左右方向の内側、または、腕部２３の外側面２３２と左右方向の同じ位置に位置する。これにより、刃幅が比較的小さいマイナスドライバー９等の汎用工具を、後方突出部２７に当接させることなく、先端突起部２６に当接させて爪部２４による係止を解除する際に、汎用工具がケース部２１の本体凸部２１１に左右方向の外側から当接してケース部２１を左右方向の内側へと押すことを防止または抑制することができる。その結果、係止解除済みの他方の爪部２４が、操作部４１等の取付対象物に再度係止することを防止または抑制することができる。
【００６４】
また、本体ケース２では、ケース部２１の側面のうち、先端突起部２６と前後方向に並ぶ領域全体（例えば、前側領域２１３、凸部下側領域２１２および後側領域２１４）が、腕部２３の外側面２３２よりも左右方向の内側、または、腕部２３の外側面２３２と左右方向の同じ位置に位置する。これにより、刃幅が比較的小さいマイナスドライバー９等の汎用工具を、後方突出部２７に当接させることなく、先端突起部２６に当接させて爪部２４による係止を解除する際に、汎用工具がケース部２１の側面に左右方向の外側から当接してケース部２１を左右方向の内側へと押すことを防止または抑制することができる。その結果、係止解除済みの他方の爪部２４が、操作部４１等の取付対象物に再度係止することを防止または抑制することができる。
【００６５】
上述のように、先端突起部２６は、外側凸部２５の下側から後方突出部２７の下側まで連続する。また、先端突起部２６の内側面２６０は、第１傾斜面２６１と、第２傾斜面２６２とを含む。第１傾斜面２６１は、後方突出部２７の下面から下方に突出し、後側から前側に向かうに従って左右方向の内側へと向かう。第２傾斜面２６２は、外側凸部２５の下面から下方に突出し、後側から前側に向かうに従って左右方向の内側へと向かう。第２傾斜面２６２と腕部２３の外側面２３２との成す角度は４５°以下である。第１傾斜面２６１と腕部２３の外側面２３２との成す角度は、第２傾斜面２６２と腕部２３の外側面２３２との成す角度よりも小さい。これにより、第２傾斜面２６２による上述の爪部２４の係止解除の容易化を実現しつつ、先端突起部２６および後方突出部２７の後端部が左右方向の外側に広がることを抑制することができる。その結果、本体ケース２を左右方向に小型化することができる。
【００６６】
上述の本体ケース２において奏される効果は、本体ケース２と同様の構造を有する本体ケース２ａにおいても同様に奏される。
【００６７】
上述のように、スイッチ装置４は、第１端子装置１と、第２端子装置１ａと、操作部４１とを備える。第２端子装置１ａは、第１端子装置１の本体ケース２と同構造の本体ケース２ａを備える。操作部４１は、第１端子装置１の本体ケース２の一対のケース係止部２２の間に挟まれる取付対象物である。操作部４１の後端部における左右方向の両側面４１０のそれぞれには、第１溝部４１１と、第２溝部４１２とが設けられる。第１溝部４１１には、第１端子装置１の本体ケース２の腕部２３が収容される。第２溝部４１２は、第１溝部４１１と上下方向に隣接して配置される。第２溝部４１２には、第２端子装置１ａの本体ケース２ａの腕部２３が収容される。第１端子装置１の先端突起部２６と第２端子装置１ａの先端突起部２６とは上下方向にて接する。これにより、１本のマイナスドライバー９等の汎用工具により、２つの本体ケース２，２ａの先端突起部２６を幅方向の外側に同時に移動して爪部２４による係止を解除することができる。
【００６８】
さらに、操作部４１は、上記後端部における左右方向の両側面４１０のそれぞれにおいて、第１溝部４１１と第２溝部４１２との間に位置する壁部４１３を備える。壁部４１３の左右方向の端面の左右方向における位置は、第１溝部４１１に収容された第１端子装置１の腕部２３の外側面２３２、および、第２溝部４１２に収容された第２端子装置１ａの腕部２３の外側面２３２の左右方向における位置と同じである。このため、２つの本体ケース２，２ａの爪部２４による係止を解除する際に、マイナスドライバー９等の汎用工具の側部を壁部４１３の端面に当接させ、当該端面に沿って容易に前方へと移動することができる。その結果、２つの本体ケース２，２ａの爪部２４による係止を容易に解除することができる。
【００６９】
図１２は、他の好ましいスイッチ装置４ａを示す図である。スイッチ装置４ａは、操作部４１ａと、操作部４１ａの後側に取り付けられる２つの端子装置１ｂとを備える。図１２では、一方の端子装置１ｂの下面、および、操作部４１ａの断面を示す。図１２では、図の理解を容易にするために、操作部４１ａの断面を細線にて描き、当該断面の平行斜線を省略している。操作部４１ａは、図１０および図１１に示す操作部４１と形状が異なる。具体的には、操作部４１ａは、操作部４１よりも前後方向に長い略円筒状である。操作部４１ａの前端は閉塞されており、後端は開口している。
【００７０】
２つの端子装置１ｂのうち一方の端子装置１ｂは、ＬＥＤ照明部５１を備える点を除き、上述の第１端子装置１と同様の構造を有する。また、２つの端子装置１ｂのうち他方の端子装置１ｂは、ＬＥＤ照明部５１を上記一方の端子装置１ｂと共有する点を除き、上述の第２端子装置１ａと同様の構造を有する。すなわち、一方の端子装置１ｂは、本体ケース２と、端子本体部３と、ＬＥＤ照明部５１とを備え、他方の端子装置１ｂは、本体ケース２ａと、端子本体部３ａと、ＬＥＤ照明部５１とを備える。上述のように、本体ケース２と本体ケース２ａとは、同じ構造を有する。
【００７１】
ＬＥＤ照明部５１は、一方の端子装置１ｂの一対のケース係止部２２の間から、当該一対のケース係止部２２よりも前方に突出する。また、ＬＥＤ照明部５１は、他方の端子装置１ｂの一対のケース係止部２２の間から、当該一対のケース係止部２２よりも前方に突出する。２つの端子装置１ｂが操作部４１ａに取り付けられた状態では、ＬＥＤ照明部５１は、操作部４１ａの後側の開口から内部に挿入されて収容される。ＬＥＤ照明部５１は、操作部４１ａの内部に収容される被収容部である。
【００７２】
スイッチ装置４ａでは、端子装置１ｂを操作部４１ａから取り外す際に、仮に、一対のケース係止部２２のうち一方のケース係止部２２の爪部２４による係止のみを解除した状態で端子装置１ｂを操作部４１ａから離間させようとすると、ＬＥＤ照明部５１が操作部４１ａの内面に引っかかる等して、端子装置１ｂを後方に移動することができない可能性がある。また、仮に、一方のケース係止部２２の爪部２４による係止が解除された状態で、他方のケース係止部２２の爪部２４による係止を解除する際に、当該解除に使用されるマイナスドライバー等によりケース部２１が左右方向の内側に向けて押されると、係止解除済みの上記一方のケース係止部２２の爪部２４が操作部４１ａに再度係止する可能性がある。
【００７３】
しかしながら、端子装置１ｂの本体ケース２では、上述の第１端子装置１の本体ケース２と同様に、マイナスドライバー９等の汎用工具により本体ケース２を左右方向の内側に向かって押圧することなく、爪部２４による係止を解除することができる。これにより、一対のケース係止部２２の取付対象物に対するそれぞれの係止を容易に解除することができる。その結果、ＬＥＤ照明部５１のような被収容部を備える端子装置１ｂであっても、汎用工具を用いて取付対象物である操作部４１ａから容易に取り外すことができる。
【００７４】
上述の本体ケース２，２ａ、第１端子装置１、第２端子装置１ａ、端子装置１ｂおよびスイッチ装置４，４ａでは、様々な変更が可能である。
【００７５】
例えば、本体ケース２，２ａでは、先端突起部２６の内側面２６０の後端部が、腕部２３の外側面２３２よりも左右方向の外側に位置しているのであれば、内側面２６０全体は、必ずしも腕部２３の外側面２３２よりも左右方向の外側に位置する必要はない。換言すれば、先端突起部２６では、内側面２６０の後端部以外の一部の部位は、腕部２３の外側面２３２と左右方向の同じ位置に位置してもよく、腕部２３の外側面２３２よりも左右方向の内側に位置してもよい。
【００７６】
先端突起部２６の内側面２６０は、必ずしも、腕部２３の外側面２３２との成す角度が互いに異なる第１傾斜面２６１および第２傾斜面２６２を含む必要はない。例えば、先端突起部２６の内側面２６０の後端から上記内端に至る領域と腕部２３の外側面２３２との成す角度は、前後方向の略全長に亘って略一定であってもよい。先端突起部２６の内側面２６０は、必ずしも傾斜面を含む必要はなく、内側面２６０は、およそ全面に亘って前後方向に略平行、かつ、左右方向に対して略垂直であってもよい。
【００７７】
先端突起部２６の内側面２６０の後端と左右方向の内端との間の左右方向の距離Ｄ１は、腕部２３の左右方向の内側面２３３と爪部２４の左右方向の内端との間の左右方向の距離Ｄ２よりも小さくてもよい。
【００７８】
各ケース係止部２２では、後方突出部２７において第２部位２７２は省略されてもよい。また、後方突出部２７が各ケース係止部２２から省略されてもよい。
【００７９】
ケース部２１では、本体凸部２１１が省略されてもよい。また、ケース部２１の側面のうち先端突起部２６と前後方向に並ぶ領域では、一部または全体が、腕部２３の外側面２３２よりも左右方向の外側に位置していてもよい。
【００８０】
操作部４１では、第１溝部４１１と第２溝部４１２との間の壁部４１３は省略されてもよい。また、第１端子装置１の先端突起部２６と第２端子装置１ａの先端突起部２６とは、必ずしも上下方向にて接する必要はなく、上下方向に離間していてもよい。操作部４１ａにおいても同様である。
【００８１】
スイッチ装置４では、第１端子装置１の本体ケース２と第２端子装置１ａの本体ケース２ａとは、必ずしも同構造である必要はなく、互いに異なる形状を有していてもよい。スイッチ装置４ａの２つの端子装置１ｂにおいても同様である。
【００８２】
スイッチ装置４ａでは、ＬＥＤ照明部５１に代えて、様々な種類の被収容部が２つの端子装置１ｂに設けられてもよい。また、当該被収容部は、２つの端子装置１ｂのうち、一方の端子装置１ｂのみに設けられてもよい。
【００８３】
スイッチ装置４，４ａでは、操作部４１，４１ａに取り付けられる端子装置の数は、１であってもよく、３以上であってもよい。
【００８４】
本体ケース２，２ａが取り付けられる取付対象物は、スイッチ装置４，４ａの操作部４１，４１ａには限定されず、様々に変更されてよい。例えば、当該取付対象物は、スイッチ装置においてアクチュエータと端子装置とを接続する接続ボックスであってもよい。あるいは、取付対象物は、スイッチ装置以外の様々な物であってもよい。
【００８５】
上述の本体ケース２，２ａの構造は、上述の端子装置の本体ケース以外に、例えば制御装置に適用されてもよい。具体的には、制御装置は、制御装置本体部と、一対の係止部とを備え、当該一対の係止部は、当該制御装置本体部の左右方向の両側部から前方に突出し、間に取付対象物を挟み込むことにより制御装置本体部を取付対象物に固定する。当該一対の係止部は、上述の一対のケース係止部２２と同様の構造を有する。すなわち、当該一対の係止部のそれぞれは、上述の腕部２３、爪部２４、外側凸部２５および先端突起部２６と同様の腕部、爪部、外側凸部および先端突起部を備える。一対の係止部の腕部は、制御装置本体部の左右方向の両側部から前方に突出する。爪部は、腕部の先端部から左右方向の内側に突出し、取付対象物に係止される。外側凸部は、腕部の先端部から左右方向の外側に突出する。先端突起部は、外側凸部の下面から腕部の下面よりも下方に突出する。そして、先端突起部の左右方向の内側面の後端部が、腕部の左右方向の外側面よりも左右方向の外側に位置する。
【００８６】
当該制御装置では、上述の本体ケース２，２ａと同様に、先端突起部の後側から挿入されたマイナスドライバー等の汎用工具の先端を、先端突起部の内側面に当接させ、先端突起部を左右方向の外側へと移動させることにより、当該汎用工具により制御装置を左右方向の内側に向かって押圧することなく、爪部による係止を解除することができる。これにより、一対の係止部の取付対象物に対するそれぞれの係止を容易に解除することができる。その結果、汎用工具を用いて制御装置を取付対象物から容易に取り外すことができる。当該制御装置は、例えば、取付レールに着脱可能なリレーソケット、リレーモジュール、コントローラ、サーキットプロテクタ、ねじアップ形端子台もしくはプログラマブルコントローラといった機器、これらの機器を取付レールに係止するための専用固定具、または、これら機器の通信コネクタ部である。上記取付対象物は、例えば、ＤＩＮレールといった機器取付用のレールである。
【００８７】
上記実施の形態および各変形例における構成は、相互に矛盾しない限り適宜組み合わされてよい。
【符号の説明】
【００８８】
１    （第１）端子装置
１ａ    （第２）端子装置
１ｂ    端子装置
２，２ａ    本体ケース
３，３ａ    端子本体部
４，４ａ    スイッチ装置
２１    ケース部
２２    ケース係止部
２３    腕部
２４    爪部
２５    外側凸部
２６    先端突起部
２７    後方突出部
４１，４１ａ    操作部
２１１    本体凸部
２１２    凸部下側領域
２１３    前側領域
２１４    後側領域
２３１    （腕部の）下面
２３２    （腕部の）外側面
２３３    （腕部の）内側面
２６０    （先端突起部の）内側面
２６１    第１傾斜面
２６２    第２傾斜面
２７１    第１部位
４１０    （操作部の）側面
４１１    第１溝部
４１２    第２溝部
４１３    壁部
Ｄ１，Ｄ２    距離
【図１】
0006434453.tif 000002
【図２】
0006434453.tif 000003
【図３】
0006434453.tif 000004
【図４】
0006434453.tif 000005
【図５】
0006434453.tif 000006
【図６】
0006434453.tif 000007
【図７】
0006434453.tif 000008
【図８】
0006434453.tif 000009
【図９】
0006434453.tif 000010
【図１０】
0006434453.tif 000011
【図１１】
0006434453.tif 000012
【図１２】
0006434453.tif 000013